(57)【要約】      （修正有）【課題】組み立て及び分解が容易で、組み立て前及び分解後の嵩が低く、構成部品が少なく、低コストで、安定してロール状物を載置、保持できるロール状物の受具を提供する。【解決手段】天壁部１１と底壁部１２と左右両側壁部１３、１４とからなる断面略長方形状の筒状体で折り畳み自在とした受具本体１０と、中央部２２の両側に立ち起こし自在の起立部２３を形成した補強板２０とからなり、補強板２０を着脱自在に受具本体１０の内側に挿入することで、受具本体１０の底壁部１２を補強板２０の中央部２２で補強すると共に受具本体１０の両側壁部１３、１４を補強板２０の起立部２３で内側から補強する構成とし、ロール状物を受具本体１０の天壁部１１に載せた際に、天壁部１１が下方に湾曲してロール状物を受け入れると共に両壁部１３、１４でロール状物の側部を両側から支える。【選択図】図７
2010095281.tif 000002
【特許請求の範囲】
【請求項１】
ロール状物を受け止めて保持するロール状物の受具であって、天壁部と底壁部と左右両側壁部とからなる断面略長方形状の筒状体からなると共にその筒状体の折り畳みを自在とした受具本体と、中央部の両側に立ち起こし自在の起立部を形成した補強板とからなり、該補強板を着脱自在に前記受具本体の内側に挿入することで、該受具本体の筒状体の底壁部を補強板の中央部で補強すると共に受具本体の両側壁部を補強板の起立部で内側から補強する構成とし、且つロール状物を受具本体の天壁部に載せた際に、該受具本体の天壁部が下方に湾曲して前記ロール状物を受け入れると共に受具本体の両壁部でロール状物の側部を両側から支える構成としていることを特徴とするロール状物の受具。
【請求項２】
ロール状物を受具本体の天壁部に載せたときに、該天壁部がロール状物のロール円に沿った円弧形状に湾曲して底壁部に到達すると共に、受具本体の両側壁部が内側に傾いてロール状物を支持する構成としていることを特徴とする請求項１に記載のロール状物の受具。
【請求項３】
受具本体をダンボール紙で構成していることを特徴とする請求項１又は２に記載のロール状物の受具。
【請求項４】
補強板をダンボール紙で構成していることを特徴とする請求項１〜３の何れかに記載のロール状物の受具。
【発明の詳細な説明】
【技術分野】
【０００１】
本発明はロール状物の受具に関する。本発明の受具は、ロール状物を保管しておくとき、梱包する際、輸送する際等において、ロール状物を受け止め、その場に保持して、容易に動かないようにするのに用いることができる。
【背景技術】
【０００２】
従来、この種のロール状物を受ける受具として、
実用新案登録第３０８２７９１号公報には、ロールと同じ円弧状に湾曲させた積載板（１）と、複数枚を重合させたダンボールを井桁状に組み合わせた桁材（２、３）とから形成されたロール製品搬送用パレットが開示されている（特許文献１）。
また実用新案登録第３０８８２３６号公報には、ロールを載置させるために湾曲させたロール板（３）を内部に設け、ダンボールシートを積層した吊り板（１）と側板（２）とを嵌め合わせて箱型に形成したロール製品搬送支持具が開示されている（特許文献２）。
また特開２００８−９４４８８号公報には、ダンボールシートを湾曲加工して断面形状がＭ字形となる吊り板（１）をスリーブ枠（２又は３）に吊るし、それをダンボール製のケース（４）の内部に装着して、ロールをハンモック式で梱包するロール製品輸送箱が提供されている（特許文献３）。
【特許文献１】実用新案登録第３０８２７９１号公報
【特許文献２】実用新案登録第３０８８２３６号公報
【特許文献３】特開２００８−９４４８８号公報
【発明の開示】
【発明が解決しようとする課題】
【０００３】
上記特許文献１に示すロール製品搬送用パレットの場合は、湾曲させるために多数の折り目線を設ける必要があり、また強度を上げるために複数の部材を必要として部品点数が多くなる問題、及び組み立て作業や分解作業に時間かかかる問題、更には側周に出っ張りが生じて整然と並べ難い問題がある。
上記特許文献２に示すロール製品搬送支持具の場合も、上記特許文献１と同様に、湾曲させるために多数の折り目線を設ける必要があり、部品点数が多くなり、また組み立て作業、分解作業に時間がかかる問題、更には側周に出っ張りが生じて整然と並べ難い問題がある。
上記特許文献３に示すロール製品輸送箱の場合は、１箱に１ロールの単品梱包を前提としたもので、部品点数が多くなる問題がある。また、やはり曲面加工のために多数の罫線を設ける必要がある。
何れにしても上記の先行特許文献に開示の発明は、組み立てが簡単ではなく、また使用済みなったときの分解が容易ではなく、更に部品点数が多く、分解した状態でも嵩が高くなる問題があった。
【０００４】
そこで本発明は組み立て及び分解が容易であり、また組み立て前及び分解後の嵩が低く、構成部品が少なく、しかも低コストで、安定してロール状物を載置、保持することができるロール状物の受具の提供を課題とする。
【課題を解決するための手段】
【０００５】
上記課題を達成するため本発明のロール状物の受具は、ロール状物を受け止めて保持するロール状物の受具であって、天壁部と底壁部と左右両側壁部とからなる断面略長方形状の筒状体からなると共にその筒状体の折り畳みを自在とした受具本体と、中央部の両側に立ち起こし自在の起立部を形成した補強板とからなり、該補強板を着脱自在に前記受具本体の内側に挿入することで、該受具本体の筒状体の底壁部を補強板の中央部で補強すると共に受具本体の両側壁部を補強板の起立部で内側から補強する構成とし、且つロール状物を受具本体の天壁部に載せた際に、該受具本体の天壁部が下方に湾曲して前記ロール状物を受け入れると共に受具本体の両壁部でロール状物の側部を両側から支える構成とされていることを第１の特徴としている。
また本発明のロール状物の受具は、上記第１の特徴に加えて、ロール状物を受具本体の天壁部に載せたときに、該天壁部がロール状物のロール円に沿った円弧形状に湾曲して底壁部に到達すると共に、受具本体の両側壁部が内側に傾いてロール状物を支持する構成とされていることを第２の特徴としている。
また本発明のロール状物の受具は、上記第１又は第２の特徴に加えて、受具本体をダンボール紙で構成していることを第３の特徴としている。
また本発明のロール状物の受具は、上記第１〜第３の何れかの特徴に加えて、補強板をダンボール紙で構成していることを第４の特徴としている。
【発明の効果】
【０００６】
請求項１に記載のロール状物の受具によれば、このロール状物の受具は受具本体と補強板とからなる。受具の組み立ての際には、受具本体を折り畳んだ状態から左右両側壁部を立ち上げて、断面略長方形状の筒状体とし、また補強板の両側の起立部を立ち起こし、この起立部を立ち起こした補強板を受具本体の内側に挿入する。これによって受具本体の底壁部が補強板の中央部で補強され、また受具本体の両壁部が補強板の起立部で内側から補強された受具が組み立てられる。組み立てられた受具の天壁部にロール状物を載せることで、該天壁部が下方に湾曲し、ロール状物を沈んだ状態に受け入れる。また受け入れられたロール状物を補強された受具の両側壁部が両側から支持する。これによってロール状物が受具によって受け止められた状態で保持される。
受具本体は、組み立て前において平板状態に折り畳まれた状態にして保管しておくことができる。同様に補強板も組み立て前においては平板状態にして保管しておくことができる。勿論、受具としての使用を終えた分解後もそれぞれ平板状態とし、保管若しくは廃棄することができる。よって使用している間以外は、分解された、非常に嵩が低い平板状の２部材があるだけとなり、非常に省スペースである。
また組み立ては、起立部を立ち起こした補強板を、同じく立ち起こして筒状体とした受具本体の内側に挿入するだけの作業であるので、作業が非常に簡単で、スムーズに効率よく、短時間で行える。勿論、分解作業も補強板を抜き出すだけであるので、非常に簡単で、容易である。
ロール状物を載せた状態では、天壁部が下方に湾曲してロール状物を受け止め、しかも天壁部が下方に湾曲することで両壁部がそれぞれ内側に引っ張られた状態となり、ロール状物が外側へ転がるのを防止して、両側から支持する。これによって、ロール状物は容易に転がることなく安定した停止状態に保持される。
よって請求項１の受具によれば、ロール状物を安定して受け止めて保持することができる。
また受具は２つの部材からなり、且つ何れの部材も単純な構成によるものであるので、コスト低減を図れる。
その他、受具は略長方形状となるので、複数個を密に並列させることができる。よって複数個のロール状物を密に並べてコンパクトに保持することができる。また梱包用の箱に本発明の受具を密に整列させて収納して、複数のロール状物を密に梱包することができる。
【０００７】
また請求項２に記載のロール状物の受具によれば、上記請求項１に記載の構成による作用効果に加えて、ロール状物を受具本体の天壁部に載せたときに、該天壁部がロール状物のロール円に沿った円弧形状に湾曲して底壁部に到達すると共に、受具本体の両側壁部が内側に傾いてロール状物を支持する構成としているので、
ロール状物と湾曲した天壁部との間に隙間が生じないので、隙間が生じることによるロール状物のガタツキを防止することができ、ロール状物を運搬する際にも、より安定して確実にロール状物を保持することができる。加えて、天壁部の湾曲により受具本体の両側壁部が内側に引っ張られて傾いた状態となることで、ロール状物の外側への転がりに対する阻止力が向上し、より確実に安定してロール状物を保持することができる。
【０００８】
また請求項３に記載のロール状物の受具によれば、上記請求項１又は２に記載の構成による効果に加えて、前記受具本体をダンボール紙で構成していることにより、
ダンボール紙が有する弾力性と変形能により、ロール状物を安定して受け止め、保持することができる。またダンボール紙であるので、運搬においても軽量となり、製造コストが経済的で、廃棄も容易である。
【０００９】
また請求項４に記載のロール状物の受具によれば、上記請求項１〜３の何れかに記載の構成による作用効果に加えて、前記補強板をダンボール紙で構成しているので、ダンボール紙による厚みとダンボールが有する２重構造により、補強板の起立部を立ち起こした際に、その起立部がそれ以上内側へ傾倒するのに対する抵抗力が生じる。よって補強板が重合された受具の両側壁部によるロール状物に対する支持力を向上させることができる。勿論、補強板を軽量、低コスト、廃棄が容易に構成することができる。
【発明を実施するための最良の形態】
【００１０】
以下の図面を参照して、本発明の実施形態に係るロール状物の受具について説明する。
図１は本発明の実施形態に係るロール状物の受具の構成部材である受具本体の斜視図、図２は折り畳んだ状態を示す受具本体の斜視図、図３は本実施形態に係る受具の構成部材である補強板の斜視図、図４は両側の起立部を立ち起こした状態を示す補強板の斜視図、図５は折り曲げた状態と元の広げた状態を示す補強板の正面図、図６は本実施形態を係る受具の斜視図、図７はロール状物を受け止めて保持した状態を示す受具の斜視図、図８はロール状物をこれから受けようとする状態を示す受具の正面図である。図９はロール状物を受け止めて保持している状態を示す受具の正面図である。
【００１１】
図１〜図６を参照して、本発明のロール状物の受具は、受具本体１０と、補強板２０ととから構成される。
【００１２】
前記受具本体１０は、天壁部１１と、底壁部１２と、左側壁部１３と、右側壁部１４からなり、断面が長方形状の筒状体に構成される。
受具本体１０はダンボール紙を用いて構成することができる。その場合、１枚のダンボール紙を左右側壁部１３、１４の何れかで重合させて重合部１６とし、これによって長方形状の筒状体を形成する。符号１７は重合部１６の綴じピンである。
筒状体の開口部１５から補強板２０を挿入することで、本発明の受具を組み立てることができる。
受具本体１０は、長方形状の角部で折り畳み自在とされており、折り畳むことで、図２のような平板状態にすることができる。
前記天壁部１１は、ロール状物Ｒを受け止める役割を果たす部分で、天壁部１１の上面がロール状物載置部１１ａとなる。
天壁部１１の上面には長手方向に図示しない複数本の谷折目を形成しておくことができる。谷折目によりロール状物Ｒを載せた際に、ロール状物載置部１１ａが容易に湾曲し、且つ長手方向に一定に整然と形状を保って湾曲させるようにすることが可能となる。
【００１３】
前記補強板２０は、中央部２２と、その両側に折目２１を介して形成された一対の起立部２３、２３とからなる。
補強板２０もダンボール紙を用いて構成することができる。ダンボール紙は表紙と裏紙との間に波型紙を挟んだ２重構造としたものである。
前記一対の起立部２３、２３は、中央部２２に対して平坦な状態から直角な状態に折り曲げて立ち起こすことができる。しかし直角状態を越えて更に内側に曲げようとすると、中央部２２の肉厚の厚みによる抵抗を受けるので、起立部２３、２３は垂直位置から更に内側へは容易に折れ曲がってしまうことはない。よって補強板２０を受具本体１０に挿入した際に、起立部２３、２３により、受具本体１０の左右側壁部１３、１４が補強され、左右側壁部１３、１４が容易に内側に折れ曲がってしまうのを防止する役割を果たす。
【００１４】
図７〜図９も参照して、受具本体１０と補強板２０とによる受具の組み立てを説明する。
先ず図２に示すような折り畳まれた状態の受具本体１０と、図３に示すような平板状態の補強板２０を用意する。そして補強板２０の起立部２３、２３を立ち起こし、これを折り畳んだ状態から立ち起こした受具本体１０の開口部１５に挿入し、補強板２０の中央部２２が受具本体１０の底壁部１２上に重なり、また起立部２３、２３がそれぞれ受具本体１０の左右側壁部１２、１３の内側に重なるようにする。これによって、図６に示すような受具が組み立てられる。
前記受具本体１０の底壁部１２は、補強板２０の中央部２２と重合して、載置された際のロール状物Ｒの重みを受けるクッションの役割を果たし、ロール状物Ｒが損傷等するのを防止する。また受具本体１０の左右側壁部１３、１４は、補強板２０の起立部２３によって内側から補強され、内側に容易に傾倒するのが防止される。
なお受具本体１０と補強板２０とを分解する際には、補強板２０を受具本体１０の開口部１５から抜き出すことで容易に行うことができる。
【００１５】
次に、前記組み立てられた受具によりロール状物Ｒを受け止め、保持する状況を説明する。
今、ロール状物Ｒの長手方向を受具の長手方向に合わせて、前記天壁部１１のロール状物載置部１１ａに載せる。するとロール状物Ｒの重みで天壁部１１が下方に湾曲し、その湾曲頂部が補強板２０の中央部２２に到達する。このとき、天壁部１１が湾曲することで、引き寄せ力Ｄ（図９参照）が生じ、左側壁部１３は右側へ引き寄せられ、また右側壁部１４は左側へ引き寄せられる。結果として、受具（受具本体１０）が元の通常状態Ｕ（図９参照）から変形する。即ち、左右側壁部１３、１４が起立部２３、２３と共に内側に傾いた状態となる。
【００１６】
今、前記受具に保持されたロール状物Ｒに対して右側に転がろうとする力（右転力）が加わった場合、左側壁部１３及びそれを補強する左側の起立部２３が前記右転力に対する抵抗力となる。即ち、補強板２０の起立部２３は中央部２２に対して直角方向以上に内側に傾くことに対して抵抗力を保持しており、この抵抗力が前記ロール状物Ｒの右転力に対しては左側方向（外側方向）に抵抗力となって働く。同様にして、ロール状物Ｒに左側に転がろうとする力（左転力）が働くと、右側壁部１４及びそれを補強する右側の起立部２３が抵抗力となって、ロール状物Ｒの左転力を阻止する。
以上のようにして、ロール状物Ｒには、受具の天壁部１１の下方への湾曲による下からの受け止め支持と、受具の左右側壁部１３、１４及びそれを補強する起立部２３、２３による両側からの支持が働く。結果として、ロール状物Ｒは受具の中央付近にバランスよく保持されることになる。
【００１７】
前記受具本体１０の長手方向寸法は、ロール状物Ｒの長さと同じにするが、ロール状物Ｒの長さよりも長くしてもよい。長くすることで複数のロール状物Ｒを縦列保持することもできる。受具本体１０の長さは、１本のロール状物Ｒの長さより多少短くても、支持ができればよい。
前記補強板２０の受具本体１０の長手方向に対応する寸法は、同寸法とするのが補強上好ましい。しかし、必ずしも同じ寸法でなくとも可能である。
前記受具本体１０の天壁部１１の幅（長方形状断面の長辺の長さ）と左右側壁部１３，１４の高さ（長方形状断面の短辺の長さ）との関係は、ロール状物Ｒによって天壁部１１が前記ロール状物Ｒに沿う円弧状に湾曲したときに、左右側壁部１３、１４がそれぞれ内側に傾いて、その傾斜頂部が丁度ロール状物Ｒに接するような長さとするのが好ましい。即ち、数値的に正確に言えば、傾斜状態の左右側壁部１３、１４の垂直高さが、ロール状物Ｒに接する天壁部１１の円弧の湾曲深さＬ（図９参照）と受具本体１０の厚みと補強板２０の厚みとの和に等しくなるような寸法関係が好ましい。が、そのような正確な寸法関係になくてもよい。要するに、天壁部１１と起立部２３、２３で補強された左右側壁部１３、１４とによって、ロール状物Ｒの下部を、下半部以下で且つある程度の円弧の湾曲深さ以上で受け止めて、支持できるような寸法関係にすればよい。
【００１８】
補強板２０の厚みは受具本体１０の厚みより厚くする。
受具本体１０の厚みを補強板２０よりも薄くすることで、天壁部１１がロール状物Ｒの自重によって下方に湾曲されやすいようにしている。
また受具本体１０の厚みを薄くすることで、断面長方形状の筒状体である受具本体１０をその長方形状の角部で容易に折り畳んで平板状にすることができるようにしている。
一方、前記補強板２０の厚みを厚くすることで、受具本体１０に対する補強効果を大きくしている。補強板２０は、その起立部２３を起立状態から元の広げた状態に折り戻すだけで平板状態にすることができるので、厚みを厚くしても容易に元の平板状態に戻すことができる。
【００１９】
上記受具本体１０及び補強板２０は必ずしもダンボール紙で構成する必要はない。他の厚紙やプラスチック材料を用いて構成することも可能である、本発明はこのような場合もその技術範囲に含むものとする。
また受具本体１０は、その筒状体の断面形状を長方形状とするが、この長方形状は正確な長方形の他、台形を含む略長方形を包含するものとする。
【図面の簡単な説明】
【００２０】
【図１】本発明の実施形態に係るロール状物の受具の構成部材である受具本体の斜視図である。
【図２】折り畳んだ状態を示す受具本体の斜視図である。
【図３】本実施形態に係る受具の構成部材である補強板の斜視図である。
【図４】両側の起立部を立ち起こした状態を示す補強板の斜視図である。
【図５】折り曲げた状態と元の広げた状態を示す補強板の正面図である。
【図６】本実施形態に係る受具の斜視図である。
【図７】ロール状物を受け止めて保持した状態を示す受具の斜視図である。
【図８】ロール状物をこれから受けようとする状態を示す受具の正面図である。
【図９】ロール状物を受け止めて保持している状態を示す受具の正面図である。
【符号の説明】
【００２１】
１０    受具本体
１１    天壁部
１１ａ  ロール状物載置部
１２    底壁部
１３    左側壁部
１４    右側壁部
１５    開口部
１６    重合部
１７    綴じピン
２０    補強板
２１    折目
２２    中央部
２３    起立部
Ｒ      ロール状物
Ｄ      引き寄せ力
Ｌ      湾曲の深さ
Ｕ      通常状態
【図１】
2010095281.tif 000003
【図２】
2010095281.tif 000004
【図３】
2010095281.tif 000005
【図４】
2010095281.tif 000006
【図５】
2010095281.tif 000007
【図６】
2010095281.tif 000008
【図７】
2010095281.tif 000009
【図８】
2010095281.tif 000010
【図９】
2010095281.tif 000011